(57)【要約】      （修正有）【課題】ユーザーが拡大表示オン／オフ切り替えることなく、隠れたエリアを確認可能な投射型表示装置を提供すること。【解決手段】投射型表示装置のマスター／スレーブを決めるマスター／スレーブ決定手段と、通信手段と、拡大領域指定手段と、指定された領域を拡大表示する拡大処理手段と、を有する投射型表示装置を、２台以上使用したスタック投射システムにおいて、マスターは、自身を含む各投射型表示装置を、拡大表示する投射型表示装置と、そのままのサイズで表示する投射型表示装置に、分担する。ユーザーが拡大表示操作を行った場合、マスターはユーザーの拡大表示操作を検出し、拡大表示する投射型表示装置に対し拡大表示操作を通信することで、拡大表示する投射型表示装置は拡大表示を行い、そのままのサイズで表示する投射型表示装置はそのままのサイズで表示する。【選択図】図２
2019003450.tif 000002
【特許請求の範囲】
【請求項１】
投射型表示装置のマスター／スレーブを決めるマスター／スレーブ決定手段と、 
通信手段と、 
拡大領域指定手段と、 
指定された領域を拡大表示する拡大処理手段と、
を有する投射型表示装置であって、 
２台以上の投射型表示装置を使用したスタック投射システムにおいて、 
マスターは自身を含む各投射型表示装置を拡大表示する投射型表示装置とそのままのサイズで表示する投射型表示装置に分担し、ユーザーが拡大表示操作を行った場合、マスターはユーザーの拡大表示操作を検出し、拡大表示する投射型表示装置に対し拡大表示操作を通信することで、拡大表示する投射型表示装置は拡大表示を行い、そのままのサイズで表示する投射型表示装置はそのままのサイズで表示することを特徴とする投射型表示装置。
【請求項２】
請求項１に記載の投射型表示装置であって、前記マスター／スレーブ決定手段は、ユーザー操作によっておこなわれることを特徴とする投射型表示装置。
【請求項３】
請求項１に記載の投射型表示装置であって、起動時にほかの投射型表示装置と通信を行い、起動順にマスター／スレーブを決定することを特徴とする投射型表示装置。
【請求項４】
請求項１乃至３のいずれか１項に記載の投射型表示装置であって、前記拡大領域指定手段は、撮像手段と拡大領域検出手段であって、ユーザーがポインティングデバイスにより指定した領域を撮像手段と領域拡大領域検出手段により判定することを特徴とする投射型表示装置。
【請求項５】
請求項１乃至４のいずれか１項に記載の投射型表示装置であって、拡大領域を目立たせて表示させるために、そのままのサイズで表示する投射型表示装置はＲＧＢゲインを変更することを特徴とする投射型表示装置。
【請求項６】
請求項１乃至４のいずれか１項に記載の投射型表示装置であって、拡大領域を目立たせて表示させるために、そのままのサイズで表示する投射型表示装置は光源の輝度を変更することを特徴とする投射型表示装置。
【請求項７】
請求項１乃至４のいずれか１項に記載の投射型表示装置であって、拡大領域を目立たせて表示させるために、そのままのサイズで表示する投射型表示装置は明度または彩度を変更することを特徴とする投射型表示装置。
【発明の詳細な説明】
【技術分野】
【０００１】
本発明は、投射型表示装置に関し、特に表示拡大機能を有する投射型表示装置に関するものである。
【背景技術】
【０００２】
現在、投射型表示装置は手軽に大画面を表示できる手段として広く利用されている。近年、投射型表示装置の高解像度化が進み、多くの情報量を投射できるようになり利便性が増している一方、パソコンのアイコンや文字が小さく表示されてしまうためユーザーが視認しにくいため、ユーザーの指定したエリアを拡大表示する提案がされている。 
【０００３】
例えば、特許文献１ではポインタデバイスとポインタデバイスの指し示す位置を検出することで拡大表示を行う投射装置が開示されている。
【先行技術文献】
【特許文献】
【０００４】
【特許文献１】特開２０１４−２１９３３号公報
【発明の概要】
【発明が解決しようとする課題】
【０００５】
しかしながら、ユーザーが指定したエリアを拡大表示した場合、拡大表示により隠れてしまうエリアが発生してしまうため、ユーザーは隠れたエリアを確認するためには拡大表示のオン／オフを切り替える必要があり、使い勝手がよくなかった。
【０００６】
そこで、本発明の目的は、拡大表示しても、ユーザーが拡大表示オン／オフ切り替えることなく、隠れたエリアを確認可能な投射型表示装置を提供することである。
【課題を解決するための手段】
【０００７】
上記目的を達成するために、本発明は、
投射型表示装置のマスター／スレーブを決めるマスター／スレーブ決定手段と、 
通信手段と、 
拡大領域指定手段と、 
指定された領域を拡大表示する拡大処理手段と、
を有する投射型表示装置であって、 
２台以上の投射型表示装置を使用したスタック投射システムにおいて、 
マスターは自身を含む各投射型表示装置を拡大表示する投射型表示装置とそのままのサイズで表示する投射型表示装置に分担し、ユーザーが拡大表示操作を行った場合、マスターはユーザーの拡大表示操作を検出し、拡大表示する投射型表示装置に対し拡大表示操作を通信することで、拡大表示する投射型表示装置は拡大表示を行い、そのままのサイズで表示する投射型表示装置はそのままのサイズで表示すること
を特徴とする投射型表示装置。
【発明の効果】
【０００８】
本発明によれば拡大表示しても、ユーザーが拡大表示オン／オフ切り替えることなく、隠れたエリアを確認可能な投射型表示装置を提供することができる。
【図面の簡単な説明】
【０００９】
【図１】実施例１のスタック投射システム
【図２】実施例１の投射型表示装置のブロック図
【図３】実施例１の投射型表示装置のフローチャート
【発明を実施するための形態】
【００１０】
以下に、本発明の好ましい実施の形態を、添付の図面に基づいて詳細に説明する。図１は、本発明の実施形態にかかわる投射型表示装置の概要図である。
【００１１】
［実施例１］
以下、図１および図２を参照して本発明の第1の実施例によるスタック投射システムおよび、スタック投射システムを構成する投射型表示装置のブロック図について説明する。
【００１２】
図１を参照して本発明の第1の実施例によるスタック投射システムについて説明する。スタック投射システムは、２台以上の投射型表示装置で構成（図ではＰＪ１〜ＰＪ２の２台）され、投射面ＳＣで投射画像が重ね合うよう各投射型表示装置は設置される。各投射型表示は通信部１１３を介して通信ケーブルＣで接続されている。ＰＪ１とＰＪ２はマスターとスレーブに分かれ、マスターは自身を含む各投射型表示装置を拡大表示する投射型表示装置とそのままのサイズで表示する投射型表示装置に分担し、ユーザーが拡大表示操作を行った場合、マスターはユーザーの拡大表示操作を検出し、拡大表示する投射型表示装置に対し拡大表示操作を通信することで、拡大表示する投射型表示装置は拡大表示を行い、そのままのサイズで表示する投射型表示装置はそのままのサイズで表示することで投射面ＳＣには２つの表示が重なった画像が表示されている。
【００１３】
続いて図２を参照して本発明の第1の実施例による投射型表示装置について説明する。
【００１４】
画像信号入力部１０１は、画像信号入力用インターフェースコネクタを含み、外部から画像信号が入力される。さらに入力された画像信号は、画像信号処理部１０２に入力される。
【００１５】
画像信号処理部１０２は、ユーザーが指定したエリアの拡大表示を行うために拡大画像生成を行う拡大処理部１０３と、ＲＧＢ（Ｒｅｄ、Ｇｒｅｅｎ、Ｂｌｕｅ）の強度を変更するためのＲＧＢゲイン処理部１０４を含み、さらに台形補正や、スケーリング、明るさ補正、コントラスト補正、色補正などの画像補正など各種信号処理が行われる。画像処理部１０２から出力された画像信号は、パネル駆動部１０５に入力される。
【００１６】
パネル駆動部１０５は、入力された画像信号にもとづいて液晶パネル１０６を駆動する。なお液晶パネル１０６は、透過型液晶パネルでも反射型液晶パネルでも良いし、液晶パネル以外の表示素子を用いても良い。
【００１７】
一方、光源駆動部１０７ではＭＰＵ１０８からの指令に従い、光源１０９の点灯・消灯や、光源１０９への供給電力を一定に保つなどの光源駆動を行う。
【００１８】
光源１０９から出た光は、液晶パネル１０６によって画像変調され、レンズ１１０によりスクリーン等に投射される。撮像部１１１は、投射面を撮像するように備え付けられ、投射面の撮像を行う。撮像部１１１で撮像した撮像データは拡大領域検出部１１２に送られ、拡大領域検出部１１２ではユーザーがレーザーポインタなどのポインティングデバイスを使用した拡大表示エリアの指示を検出し、拡大表示エリアデータをＭＰＵ１０８へ送る。
【００１９】
ＭＰＵ１０８では拡大領域検出部１１２より送られてきた拡大表示エリアデータをもとに画像信号処理部１０２に対して拡大処理や、ＲＧＢゲイン処理の指示を行う。拡大処理部１０３ではＭＰＵ１０８の拡大表示指示に従い、指定されたエリアの拡大画像を生成し、画像合成を行う。ＲＧＢゲイン処理部ではＭＰＵ１０８のＲＧＢゲイン指示に従い、画像のＲＧＢゲインを変更する。拡大処理を行った際は、ユーザーが拡大表示エリアを視認しやすくするため、非拡大表示エリアのＲＧＢゲイン下げる。
【００２０】
通信部１１３では、他の投射型表示装置と通信するためのインターフェースであり、各々の投射型表示装置は、通信部を介して拡大表示指示を送受信したり、ＲＧＢゲイン処理指示を送受信したりすることができる。
【００２１】
ＭＰＵ１０８は、２台以上の投射型表示装置を使用したスタック投射システムにおいて、各々の投射型表示装置がマスターとして機能するのか、スレーブとして機能するのかを決定するためのマスター／スレーブ決定部１１４を含み、マスター／スレーブの決定は操作部１１５からユーザー操作により行われる。なお、マスター／スレーブの決定は、各々の投射型表示装置を通信部により接続し、通信によって自動的にマスター／スレーブを決めても良い。
【００２２】
以上で本実施例１に関わる図１および図２を参照して本発明の第1の実施例によるスタック投射システムおよび、スタック投射システムを構成する投射型表示装置のブロック図の説明は終了である。続いて図３を参照して本実施例１に関わる投射型表示装置のフローチャートを説明する。
【００２３】
ステップ（図にはＳと記す）１０１ではユーザー操作によって操作対象の投射型表示装置をマスターとするか、スレーブとするかが決定される。Ｓ１０２では、自投射型表示装置がマスターか、スレーブか判定を行い、マスターの場合はＳ１０３へ、スレーブの場合はＳ１１１へ移行する。Ｓ１０３では、スタック投射システムを構成する各投射型表示装置を拡大表示担当と、非拡大表示担当に分担する。Ｓ１０４では、ユーザーによる拡大操作の有無を判定する。拡大操作がなければＳ１０４へ戻り、拡大操作があればＳ１０５へ移行する。
【００２４】
Ｓ１０５では、ユーザーが指示した拡大表示エリアを検出し、Ｓ１０６へ移行する。Ｓ１０６では、拡大表示担当の投射型表示装置に対し、拡大表示指示を送信する。Ｓ１０７では、非拡大表示担当の投射型表示装置に対し、ＲＧＢゲイン指示を送信する。Ｓ１０８では、自投射型表示装置が拡大表示担当か否かを判断し、拡大表示担当の場合はＳ１０９へ移行し、そうでない場合はＳ１１０へ移行する。Ｓ１０９では、拡大領域検出結果に基づき拡大画像を生成・合成し、Ｓ１０４へ戻る。Ｓ１１０では、拡大表示エリアを視認しやすくするために画面全体のＲＧＢゲインを下げることで画像の輝度を下げ、Ｓ１０４へ戻る。
【００２５】
一方、Ｓ１１１では、マスターの投射型表示装置からの拡大表示指示を受信したか否かを判断し、受信した場合はＳ１１２へ、そうでない場合はＳ１１３へ移行する。Ｓ１１２では、受信した拡大表示指示に基づき拡大画像を生成・合成し、Ｓ１１１へ戻る。Ｓ１１３では、マスターの投射型表示装置からのＲＧＢゲイン指示を受信したか否かを判断し、受信した場合はＳ１１４へ、そうでない場合はＳ１１１へ移行する。Ｓ１１４では、拡大表示エリアを視認しやすくするために画面全体のＲＧＢゲインを下げることで画像の輝度を下げ、Ｓ１１１へ戻る。
【００２６】
以上で本実施例１に関わる撮像部のフォローチャートの説明は終了である。なお本実施例１の投射型表示装置では、拡大処理を行った際は、ユーザーが拡大表示エリアを視認しやすくするため、非拡大エリアのＲＧＢゲインを下げているが、別の手段を用いても良い。例えば、光源駆動部を制御して光源の明るさを制御しても良い。他にも、彩度変更部を有し非拡大エリアの彩度を下げたり、明度変更部を有し非拡大エリアの明度を変更したりしても良い。
【００２７】
以上、本発明の好ましい実施形態について説明したが、本発明はこれらの実施形態に限定されず、その要旨の範囲内で種々の変形及び変更が可能である。
【符号の説明】
【００２８】
１０３  拡大処理部
１０４  ＲＧＢゲイン処理部
１１１  撮像部
１１２  拡大領域検出部
１１３  通信部
１１４  マスター／スレーブ決定部
【図１】
2019003450.tif 000003
【図２】
2019003450.tif 000004
【図３】
2019003450.tif 000005